(57)【特許請求の範囲】
【請求項１】
底部加熱装置を備えた固定屋根式タンクの底板取替方法において、当該固定屋根式タンクの屋根骨間に掛け渡す如く当該屋根骨間上のタンク屋根板上に配置した棒状の支持材と、当該支持材近傍位置の屋根板に当該屋根板を貫通して形成した開孔部と、一方端を上記屋根板上の支持材に結着し他方端は上記屋根板の開孔部を通しタンク底板近傍位置まで垂下し、上記タンクとの結合箇所を切断したタンク底板上の底部加熱装置に索巻器を介して係合するワイヤとを設け、当該索巻器の操作によって上記底部加熱装置をタンク底板の上方に吊り挙げて施工することを特徴とするタンクの底板取替方法。
【発明の詳細な説明】
【０００１】
【発明の属する技術分野】
この発明は、底部加熱装置を備えた固定屋根式タンクの底板取替方法に関するものである。
【０００２】
【従来の技術】
重油などの粘性の高い貯蔵物を貯蔵するタンクには、貯蔵物を加熱し流動性を高めるために高温蒸気等を通す鋼管製の加熱管等からなる底部加熱装置がタンク底部の底板上の一部又は全面に備え付けられている。
【０００３】
この底部加熱装置を備えたタンクは、底板が腐食すると、従来は、底板取替工事施工に邪魔となる底板上の底部加熱装置をガス切断等で搬出可能な複数の小さなブロックに分断し、分断した底部加熱装置は、タンク側部の側板下部を開口又はタンク頂部の屋根を開口して形成した開口部からタンク外へ搬出し、タンク外部の適当な場所でシート等をかけて養生し保管する。
【０００４】
そして、タンク側部の側板をジャッキで持ち上げて施工する、いわゆるジャッキアップ工法等を用いてタンクの底板取替工事を施工した後、養生保管していた底部加熱装置を前述の側板下部の開口部又は屋根の開口部からタンク内へ搬入し、小さなブロックに分断していた底部加熱装置を取替えた新規底板上の元の位置に組立て、溶接接続等で復旧して、タンクの底板取替工事を施工していた。
【０００５】
【発明が解決しようとする課題】
従来の底部加熱装置を備えた固定屋根式タンクの底板取替方法においては、タンク頂部の屋根とタンク側部の側板とによって閉塞されたタンク内へ大形クレーン等の重機を容易には搬入できないため、底板取替工事の施工を邪魔する底板上の底部加熱装置は、タンク外へ搬出及びタンク内へ搬入可能な小さなブロックに分断し、分断した底部加熱装置のブロックは台車等に載せて人力やウインチ等で移動して、タンク外へ搬出或はタンク内へ搬入しなければならなかったので、その搬出入作業は煩雑で、多くの手間と時間がかかり、作業性がよくなかった。
【０００６】
また、その分断した底部加熱装置の搬出入作業は、閉塞された暗いタンク内の電灯照明下での作業となるため、見通しが悪く、危険性を伴なった。
【０００７】
更に、タンク外搬出及びタンク内搬入の作業を容易にするために底部加熱装置は小さなブロックに分断されるので、その分断された底部加熱装置の復旧には、組立や溶接、検査等の作業に多くの手間がかかった。
【０００８】
この発明は、従来技術の有する上述の問題点に鑑みてなされたもので、底部加熱装置を備えた固定屋根式タンクの底板を取替えるにあたり、底板取替工事施工の邪魔となる底板上の底部加熱装置を、タンクとの結合箇所を切断し、屋根から垂下したワイヤでタンク内の底板上方に吊り挙げて移動保管することによって、底部加熱装置の移動保管工事と底板取替工事の工事施工が簡単、かつ安全で、施工工期を大幅に短縮できるタンクの底板取替方法を提供するものである。
【０００９】
【課題を解決するための手段】
上記課題を解決するためにこの発明は、底部加熱装置を備えた固定屋根式タンクの屋根骨間に掛け渡す如くその屋根骨間上のタンク屋根板上に配置した棒状の支持材と、その支持材近傍位置の屋根板にその屋根板を貫通して形成した開孔部と、一方端を屋根板上の支持材に結着し他方端は屋根板の開孔部を通しタンク底板近傍位置まで垂下し、タンクとの結合箇所を切断したタンク底板上の底部加熱装置に索巻器を介して係合するワイヤを設け、その索巻器の操作によって底部加熱装置をタンク底板の上方に吊り挙げ、底板取替工事施工に邪魔となる底板上の底部加熱装置はタンク外部へ搬出することなくタンク内の底板上方に移動保管してタンクの底板取替工事を施工するものである。
【００１０】
また、ワイヤの一方端を結着する支持材の配設作業やワイヤの他方端を通す開孔部の開設作業、或は一方端を支持材に結着したワイヤを屋根から垂下する作業等は安全な屋根板上で施工し、タンクとの結合箇所を切断した底部加熱装置に屋根から垂下したワイヤを索巻器を介して係合する作業や底部加熱装置の吊り挙げ及び降下を索巻器で操作する作業等は低所で安全な底板近傍位置で施工し、底板取替工事施工に邪魔となる底板上の底部加熱装置の上方移動作業及び降下復旧作業の全作業を危険性の少ない屋根板の上や低所の底板近傍位置で安全に施工するものである。
【００１１】
また、ワイヤで吊り挙げた底部加熱装置は、ワイヤと結着した支持材を介して屋根骨でしっかりと安全に懸架支持するとともに、ワイヤを通すために屋根板を開設した複数の開孔部から屋根全面に照明灯を点在させた如くタンク内へ採光し、底部加熱装置の移動作業や底板取替作業等を、明るい環境下で安全に施工するものである。
【００１２】
【発明の実施の形態】
この発明を図１及び図２の実施の形態例に基づいて詳細に説明する。図中、１は固定屋根式タンクで、２はその底部の、矩形状或は扇形状等の薄板鋼板を接合して形成した鋼製円盤形状の底板、３は底板２の周縁部に立設した鋼製円筒形状の側板、４は側板３の上端部と接続し、タンク１の頂部を被覆する固定屋根である。
【００１３】
この側板３の上端部に接続固定した屋根４は、矩形状或は扇形状等の薄板鋼板を接合してタンク１の頂部をドーム形状又はコーン形状等に被覆するシート状鋼板の屋根板４Ｐと、形鋼等を放射形状等に配列して屋根板４Ｐを下から支える屋根骨４Ｓとで形成している。
【００１４】
５は重油等の粘性の高い貯蔵物を加熱し、貯蔵物の流動性を高めるために設置する底部加熱装置である。この底部加熱装置５は、タンク１底部の底板２上に結合固定して設置した架台５Ｓと、貯蔵物の加熱に必要とされる伝熱面積を得るためにくねくねと連続して折り曲げた蛇行形状、或は放射状の傘骨形状等に配列した鋼管製の加熱管５Ｐとで形成している。この加熱管５Ｐは、熱膨張移動が可能なようにＵボルトや溶着Ｕバンド等で山形鋼などの形鋼で形成した架台５Ｓに固定され、底板２上の一部又は全面に配設している。
【００１５】
このように配設した加熱管５Ｐには、側板３に設けた入口ノズルから高温蒸気や温水等の熱媒体が導入され、その熱媒体が加熱管５Ｐを介して貯蔵物へ熱を伝達し、熱伝達を終えた熱媒体は側板３に設けた出口ノズルから排出されるように形成されている。
【００１６】
このような底部加熱装置５を備えた固定屋根式タンク１の底板２の取替工事を施工するにあたり、まず、鋼製パイプ、或は形鋼等で形成した棒状の支持材６を、底部加熱装置５の上方に位置する屋根骨４Ｓ、４Ｓ間上の屋根板４Ｐ上に配置し、その支持材６の両端部は屋根骨４Ｓ、４Ｓ間を掛け渡す如く屋根骨４Ｓ、４Ｓ上に位置させる。
【００１７】
なお、支持材６は、断面円形状の鋼管材等で形成すると、後述のワイヤ８をキンクさせることなく容易に結着することができる。また、このように屋根骨４Ｓ、４Ｓ間に掛け渡す如く配置した支持材６は、その屋根骨４Ｓ、４Ｓ上の屋根板４Ｐ上に溶着したＬ字形状ピース等のストッパー６Ｓ、６Ｓで、支持材６が移動しないように屋根板４Ｐの上に固定する。
【００１８】
その固定した支持材６下方近傍位置の屋根板４Ｐをガス切断等で、円形状に切断開口し、屋根板４Ｐを貫通する開孔部７を設ける。この開孔部７の大きさは、後述のワイヤ８を通すことができ、かつワイヤ８を通してもそのワイヤ８の周りからタンク１内へ外光が射し込める大きさの、例えば直径１００mm程度の大きさとするが、鋼板重ね溶着の復旧を配慮して適切な大きさを決める。なお、この開孔部７に透光性の材料、例えば透明フィルムシートで形成した蓋板を取付けると、採光は遮られことなく、工事施工の邪魔となる雨水侵入を防止することができる。
【００１９】
そして、図２に拡大して示したように、ワイヤ８の一方端をワイヤークリップ等を用いて支持材６に結着するとともに、そのワイヤ８の他方端は、開孔部７を通して底板２上の底部加熱装置５の近傍位置まで垂下する。垂下したワイヤ８の他方端にはワイヤークリップ等を用いて、ホイストクレーン、レバープーラー、或はチェーンブロック等の索巻器９を取付け、その索巻器９は底部加熱装置５に取付けた吊り挙げ用の補助ワイヤ８Ａと係合する。
【００２０】
上記のように支持材６、開孔部７を通したワイヤ８、索巻器９、補助ワイヤ８Ａ及び底部加熱装置５を連結し、索巻器９によって底板２上に設置した底部加熱装置５を吊り挙げられるように形成する。なお、図示は省略するが、ワイヤ８と係合する索巻器９は、係合方法を変えて、屋根４の上に設置してもよい。
【００２１】
そして、底部加熱装置５がタンク１と結合する結合箇所、つまり架台５Ｓ下部と底板２との結合箇所、加熱管５Ｐと側板３に設けた入口ノズルとの結合箇所及び加熱管５Ｐと側板３に設けた出口ノズルとの結合箇所等をガス切断等で切断し、架台５Ｓに固定された加熱管５Ｐとその架台５Ｓを、なるべく大きく、かつ索巻器９で持ち挙げられる大きさのブロックに分断する。大きなブロックに分断した底部加熱装置５は、底板２上から底板２取替工事施工の邪魔にならない高さ位置まで索巻器９によって吊り挙げて、移動する。
【００２２】
なお、底部加熱装置５の大きさによっては、上記底部加熱装置５がタンク１と結合する結合箇所、つまり側板３に設けた入口ノズルと出口ノズルとの取合結合箇所及び底板２との結合箇所等のみを切断し、底部加熱装置５の全体は分断することなく多数の索巻器９、９・・・で一度に吊り挙げて移動すれば、より効率的に吊り挙げ移動を行うことができる。
【００２３】
また、図示は省略するが、索巻器９によって吊り挙げ移動した底部加熱装置５は、吊り挙げた底部加熱装置５が揺動して側板３へ衝突しないように底部加熱装置５の外周縁部に、その外周縁部と側板３との間を埋めるように角材等の木材を取付けて養生した上で、タンク１内の底板２上方に保管する。
【００２４】
このように底部加熱装置５をタンク１内の底板２上方に養生保管しておいて、側板３と底板２との接合部を切断し、タンク１の側板３に取付けたブラケット（図示省略）をジャッキ（図示省略）で押し上げ、底部加熱装置５とその底部加熱装置５を懸吊りした屋根４及び側板３を持ち挙げて、既設を新規の底板２に取替え、必要に応じてタンク１の基礎補修を施工する、いわゆるジャッキアップ工法で底板２の取替工事を施工する。
【００２５】
なお、底部加熱装置５をタンク１内の底板２上方に養生保管しておいて施工する底板２の取替工事は、図示は省略するが、側板３の内周下部にサポートピースを溶着して側板３の下端部を切断開口して施工する、いわゆるピース工法を用いて施工してもよい。
【００２６】
ジャッキアップ工法やピース工法等で底板２の取替工事が終えた後、底板２の上方に養生保管しておいた底部加熱装置５は、索巻器９を操作して取り替えた底板２の元の位置に降下し、ガス切断等で切断した箇所は溶接等で接続し、接続箇所は必要とされる検査を行って復旧する。
【００２７】
そして、支持材６、開孔部７を通したワイヤ８、索巻器９、補助ワイヤ８Ａ等を取り外すとともに、ワイヤ８を通した開孔部７は、新たな鋼板で形成した溶接片を開孔部７の上に当接し、すみ肉溶接等で溶着して開孔部７を塞ぎ、復旧する。
【００２８】
【発明の効果】
叙述のようにこの発明によれば、底部加熱装置を備えた固定屋根式タンクの底板取替工事を施工するにあたり、底板上に配設された底部加熱装置をタンク外へ搬出することなくタンク内の底板上方に吊り挙げ、養生保管して底板取替工事を施工するので、底部加熱装置の小さなブロック化の分断作業やその分断した底部加熱装置のタンク外搬出及びタンク内搬入の作業がないため、底板取替工事の施工に邪魔となる底部加熱装置の移動保管作業は簡単、かつ安全に施工することができる。
【００２９】
更に、底部加熱装置の移動保管に必要な開孔部を設ける作業や支持材に結着したワイヤの垂下作業等は安全な屋根板上で施工し、垂下したワイヤで底部加熱装置を吊り挙げる作業は低所で安全な底板近傍位置で施工し、かつ屋根に設けた開孔部から屋根全面に照明灯を点在させた如くタンク内へ採光して明るい環境下で、底部加熱装置の移動作業や底板取替工事等を施工することができるため、タンクの底板取替工事を安全、かつ施工工期を大幅に短縮して施工することができる。
【００３０】
【図面の簡単な説明】
【図１】  この発明に係るタンクの底板取替工法をタンクの一部を切り欠いて一部省略し、簡略化して示した全体斜視説明図である。
【図２】  図１の発明の実施の形態例を一部省略し簡略化して示した拡大部分斜視説明図である。
【符号の説明】
１  固定屋根式タンク
２  底板
３  側板
４  屋根              ４Ｐ  屋根板          ４Ｓ  屋根骨
５  底部加熱装置      ５Ｓ  架台            ５Ｐ  加熱管
６  支持材            ６Ｓ  ストッパー
７  開孔部
８  ワイヤ            ８Ａ  補助ワイヤ
９  索巻器
【図１】
0003757458.tif 000002
【図２】
0003757458.tif 000003